(57)【特許請求の範囲】
【請求項１】
回転駆動するモータと、
前記モータの出力軸に固定され、前記モータの動力によって軸回りに回転する駆動プーリと、
前記駆動プーリに架け渡されたベルトと、
前記ベルトに接続し、前記ベルトが回転することで移動する移動体とを備えた演出装置であって、
前記駆動プーリの軸線と同軸上に設けられ、前記駆動プーリから前記モータ側とは反対側へ延びる支持軸と、
前記支持軸を支持する軸受け部と
を備え、
前記支持軸は、前記駆動プーリおよび前記軸受け部に対して回転自在に配置されることを特徴とする演出装置。
【請求項２】
前記支持軸と前記軸受け部との間に介在する円筒状のブッシュをさらに備えたことを特徴とする請求項１に記載の演出装置。
【請求項３】
前記駆動プーリに対して接近または離間可能に設けられ、且つ前記ベルトが架け渡される従動プーリと、
前記従動プーリを前記駆動プーリから離間する方向に付勢する付勢手段とをさらに備えたことを特徴とする請求項１又は２に記載の演出装置。
【請求項４】
請求項１から３のいずれかに記載の演出装置を備えた遊技機。
【発明の詳細な説明】
【技術分野】
【０００１】
本発明は、モータの動力によって部材を移動させる演出を行う演出装置、および当該演出装置を備えた遊技機に関する。
【０００２】
従来、遊技機に用いられる演出装置として、モータの動力でベルトを回転させることで部材を移動させる演出装置が知られている。例えば、特許文献１は、演出カーテンをモータで開閉する演出装置を開示している。特許文献１に記載の演出装置では、モータの出力軸にプーリが固定されており、プーリにベルトが架け渡されている。演出カーテンの一端部は固定端とされ、他端部はベルトに接続されて可動端となる。モータがベルトを回転させると、演出カーテンの可動端が移動し、演出カーテンが開閉する。
【先行技術文献】
【特許文献】
【０００３】
【特許文献１】特開２００９−２８５１１７号公報
【発明の概要】
【発明が解決しようとする課題】
【０００４】
プーリにはベルトが架け渡されているため、プーリはベルトから力を受ける。特許文献１に記載の演出装置では、ベルトからプーリに加わる力が、モータの出力軸にそのまま伝わる。従って、モータに脱調等の動作不良および故障が生じる可能性が高いという問題点があった。一方、プーリをモータの出力軸に直接固定せずに、ギアを介してモータの回転をプーリに伝達させる場合、モータの出力軸にかかる力は減少するが、ギアを配置するためのスペースが必要になる。よって、スペースを確保しつつ、モータの出力軸にかかる力を減少させることは、従来は困難であった。
【０００５】
本発明は、モータの動力によってベルトを回転させて部材を移動させる演出装置において、スペースを確保しつつ、モータの出力軸にかかる力を減少させることができる演出装置、および当該演出装置を備えた遊技機を提供することを目的とする。
【課題を解決するための手段】
【０００６】
本発明の第一の態様に係る演出装置は、回転駆動するモータと、前記モータの出力軸に固定され、前記モータの動力によって軸回りに回転する駆動プーリと、前記駆動プーリに架け渡されたベルトと、前記ベルトに接続し、前記ベルトが回転することで移動する移動体とを備えた演出装置であって、前記駆動プーリの軸線と同軸上に設けられ、前記駆動プーリから前記モータ側とは反対側へ延びる支持軸と、前記支持軸を支持する軸受け部とを備え、前記支持軸は、前記駆動プーリおよび前記軸受け部に対して回転自在に配置される。当該演出装置では、ベルトから駆動プーリに伝わる力がモータの出力軸のみにかかることはなく、力は支持軸にも分散される。よって、出力軸にかかる力を減少させて、モータに脱調等の動作不良および故障が生じる可能性を低下させることができる。また、ギアを介してモータの回転を駆動プーリに伝える必要はない。従って、ギアを用いる場合に比べて容易にスペースを確保することができる。
【０００７】
また、演出装置は、駆動プーリ５３の回転中に支持軸に生じる摩擦力を低下させて、駆動プーリを円滑に回転させることができる。
【０００８】
前記演出装置は、前記支持軸と前記軸受け部との間に介在する円筒状のブッシュをさらに備えてもよい。この場合、演出装置は、ブッシュを用いない場合に比べて、支持軸に生じる摩擦力をさらに低下させることができる。
【０００９】
前記演出装置は、前記駆動プーリに対して接近または離間可能に設けられ、且つ前記ベルトが架け渡される従動プーリと、前記従動プーリを前記駆動プーリから離間する方向に付勢する付勢手段とをさらに備えてもよい。この場合、ベルトに適切なテンションが付与されるため、モータの回転力を確実に駆動プーリに伝達させることができる。ベルトにテンションが付与されることで、ベルトから駆動プーリに力がかかるが、駆動プーリは支持軸によって支持されている。従って、演出装置は、モータの出力軸に過剰な負担がかかることを防止しつつ、ベルトに適切なテンションを付与して円滑に演出を実行することができる。
【００１０】
本発明の第二の態様にかかる遊技機は、前記演出装置を備えている。従って、当該遊技機は、前記演出装置と同様の作用効果を奏することができる。
【図面の簡単な説明】
【００１１】
【図１】パチンコ機１の正面図である。
【図２】遊技盤２の正面図である。
【図３】演出装置３０を右斜め上方手前側から見た斜視図である。
【図４】演出装置３０の正面図である。
【図５】演出装置３０の縦移動ユニット４０を右斜め上方手前側から見た斜視図である。
【図６】右側縦移動機構４１の構造を示す分解斜視図である。
【図７】図４のＡ−Ａ線矢視方向断面図である。
【図８】図７における駆動プーリ５３の近傍の拡大断面図である。
【図９】横移動ユニット１１０を右斜め上方手前側から見た斜視図である。
【図１０】横移動ユニット１１０の上部の拡大斜視図である。
【図１１】接触部材１２０、横移動ガイド軸１２２，１２３、および装飾体３５の拡大斜視図である。
【図１２】離間していた爪部１２４，１２５と装飾体３５，３６とが接触した瞬間の横移動ユニット１１０の斜視図である。
【図１３】縦区画体３３，３４が終点位置にある状態の横移動ユニット１１０の斜視図である。
【発明を実施するための形態】
【００１２】
本発明の一実施の形態である演出装置３０、および演出装置３０を備えたパチンコ機１について、図面を参照して説明する。
【００１３】
図１および図２を参照して、パチンコ機１の機械的構成について説明する。図１に示すように、パチンコ機１の上半分の部分には遊技盤２が設けられている。遊技盤２は略正方形であり（図２参照）、透明なガラス板を保持したガラス枠１３によって前面を保護されている。遊技盤２の下方部には、発射機に遊技球を供給し、且つ賞品球を受ける上皿５が設けられている。上皿５の直下には、賞品球を受ける下皿６が設けられている。下皿６の右横には、遊技球の発射を調整する発射ハンドル７が設けられている。ガラス枠１３の上部の左右の角にはスピーカ４８がそれぞれ設けられている。
【００１４】
図２に示すように、遊技盤２の前面には、ガイドレール３で囲まれた略円形の遊技領域４が形成されている。遊技領域４の略中央には、ＬＣＤである表示装置２８が設けられている。表示装置２８の表示領域では、大当たり判定の結果を遊技者に報知するための報知演出、大当たり遊技中の演出等、様々な演出の映像が表示される。特に、報知演出では複数のデモ図柄の変動および停止が行われ、同一のデモ図柄が所定ライン上に確定表示されることで、大当たり判定の結果が当たりであることが遊技者に報知される。
【００１５】
表示装置２８の外縁を取り囲むように、各種演出を行う演出装置３０（図３等参照）が設けられている。演出装置３０は、表示装置２８およびスピーカ４８等と連動して、報知演出等の様々な演出を実行する。表示装置２８の左方には、普通図柄始動ゲート１２が設けられている。普通図柄始動ゲート１２を遊技球が通過すると、普通当たり判定が行われる。表示装置２８の下方には、特別図柄始動電動役物１５が配設されている。特別図柄始動電動役物１５に遊技球が入賞することを契機として、大当たり判定が行われる。特別図柄始動電動役物１５の下方には、大入賞口１６が設けられている。さらに、遊技盤２には、上記以外に各種の電飾ランプ、入賞口、風車、および遊技釘が設けられている。
【００１６】
特別図柄始動電動役物１５には開閉部材が設けられており、この開閉部材が開放されると、特別図柄始動電動役物１５への遊技球の入賞が容易となる。特別図柄始動電動役物１５の開閉部材は、普通当たり判定によって当たりと判定されることで開放される。大入賞口１６にも開閉部材が設けられており、この開閉部材が開放された場合のみ、遊技球が大入賞口１６に入賞可能となる。大入賞口１６の開閉部材は、大当たり判定によって当たりと判定されることで開放される。各開閉部材は、ソレノイドによって電気的に開放される。特別図柄始動電動役物１５および大入賞口１６に遊技球が入賞すると、所定数の遊技球が払い出される。
【００１７】
図示しないが、パチンコ機１の背面側には、各種基板を備えた制御部が設けられている。制御部の各基板はＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。サブ制御基板は、主基板で行われた制御結果に基づいて、後述する右側縦移動モータ５０、左側縦移動モータ９０、および横移動モータ１１３を制御し、演出装置３０による演出を実行させる。
【００１８】
以下、演出装置３０について説明する。まず、図３および図４を参照して、演出装置３０の概要について説明する。図３の紙面左斜め手前側および図４の紙面手前側を、演出装置３０の正面側とする。図３の紙面右斜め奥側および図４の紙面奥側を、演出装置３０の背面側とする。図３および図４の左側を演出装置３０の左側とし、図３および図４の右側を演出装置３０の右側とする。
【００１９】
演出装置３０は、表示装置２８（図１および図２参照）の表示領域を複数の領域に区画するための４つの区画体３１〜３４を備える。詳細には、演出装置３０は、第一横区画体３１、第二横区画体３２、第一縦区画体３３、および第二縦区画体３４を備える。第一横区画体３１および第二横区画体３２（以下、これらをまとめて「横区画体３１，３２」という。）は、表示装置２８よりも正面側に配置される棒状体であり、正面視で表示装置２８の表示領域を上下方向に仕切ることができる。第一縦区画体３３および第二縦区画体３４（以下、これらをまとめて「縦区画体３３，３４」という。）は、表示装置２８よりも正面側に配置される棒状体であり、正面視で表示装置２８の表示領域を左右方向に仕切ることができる。
【００２０】
２つの横区画体３１，３２のそれぞれは、表示領域の中央部を中心として上下対称に縦移動することができる。横区画体３１，３２が可動範囲内の原点範囲にある状態（図１〜図４に示す状態）では、表示装置２８の表示領域は、横区画体３１，３２によって略均等に３行に区画される。原点範囲にあった横区画体３１，３２のそれぞれが、互いに離間する方向に対称移動すると、３行に区画された領域のうちの中央の領域の面積が広がる。その後、横区画体３１，３２のそれぞれが可動範囲内の終点位置に到達すると、横区画体３１，３２は表示装置２８の表示領域の上方および下方に位置し、表示領域の横方向の区画が解除される。
【００２１】
２つの縦区画体３３，３４のそれぞれは、表示領域の中央部を中心として左右対称に横移動することができる。縦区画体３３，３４が可動範囲内の原点範囲にある状態（図１〜図４に示す状態）では、表示装置２８の表示領域は、縦区画体３３，３４によって略均等に３列に区画される。原点範囲にあった縦区画体３３，３４のそれぞれが、互いに離間する方向（外側）に対称移動すると、３列に区画された領域のうちの中央の領域の面積が広がる。その後、縦区画体３３，３４のそれぞれが可動範囲内の終点位置に到達すると（図１３参照）、縦区画体３３，３４は表示装置２８の表示領域の右方および左方に位置する。その結果、表示領域の縦方向の区画が解除される。
【００２２】
通常の報知演出中は、４つの区画体３１〜３４はいずれも原点範囲に位置する。その結果、表示装置２８の表示領域は格子状に９個の領域に区画され、区画された９個の領域のそれぞれにデモ図柄が表示される。格子状の領域のうち、縦、横、斜めの合計８つのラインの少なくともいずれかに同一の図柄が表示されると、大当たり遊技が開始されて多数の遊技球が払い出される。少なくともいずれかのラインにおいて、１番目に停止したデモ図柄と２番目に停止したデモ図柄とが同一の図柄となれば、所謂リーチ演出が実行される。リーチ演出では、パチンコ機１は、区画体３１〜３４を移動させて９個の領域のそれぞれの大きさを変化させることができる。さらに、パチンコ機１は、区画体３１〜３４の全てを終点位置に移動させて区画を解除し、表示領域全体でリーチ演出を行うこともできる。大当たり遊技が開始されると、パチンコ機１は区画を解除し、表示領域全体で大当たり遊技中の演出を実行する。
【００２３】
さらに、演出装置３０は、第一装飾体３５および第二装飾体３６（以下、これらをまとめて「装飾体３５，３６」という。）を備える。装飾体３５，３６は、正面視略矩形の縦長部材であり、装飾が施されている。装飾体３５，３６は、４つの区画体３１〜３４よりもさらに正面側に配置される。通常の報知演出中には、第一装飾体３５は、矩形の表示領域のうち、右側縁部から所定範囲を遮蔽する。また、第二装飾体３６は、表示領域のうち左側縁部から所定範囲を遮蔽する。縦区画体３３，３４が原点範囲から外側の終点位置に向かって所定距離移動すると、縦区画体３３，３４に設けられた接触部材１２０，１２１の爪部１２４，１２５（図１０参照、詳細は後述する）が、装飾体３５，３６に接触する。接触部材１２０，１２１と装飾体３５，３６とが接触している間、装飾体３５，３６は縦区画体３３，３４と共に横移動する。よって、縦区画体３３，３４が終点位置に向かって移動すると、装飾体３５，３６は互いに離間するように移動し、表示装置２８の表示領域の右方および左方に位置する。その結果、表示領域のうち遊技者が視認できる領域が広がり、遊技者の興趣を強く惹き付けることができる。
【００２４】
演出装置３０は、横区画体３１，３２を縦移動させるための縦移動ユニット４０（図５参照）を備える。また、演出装置３０は、縦区画体３３，３４および装飾体３５，３６を横移動させるための横移動ユニット１１０（図９参照）を備える。
【００２５】
図４から図８を参照して、横区画体３１，３２を縦移動させるための縦移動ユニット４０について説明する。図５に示すように、縦移動ユニット４０は、演出装置３０（図３および図４参照）の右側に設けられた右側縦移動機構４１と、左側に設けられた左側縦移動機構８１とを備える。右側縦移動機構４１の要部と左側縦移動機構８１の要部とは同一であり、横区画体３１，３２との間の接続の構造のみが異なる。よって、以下では右側縦移動機構４１について重点的に説明し、左側縦移動機構８１の説明は簡略化する。
【００２６】
図６および図７に示すように、右側縦移動機構４１は、合成樹脂製の支持板４２を備える。支持板４２は、上下方向に延びる略板状の部材であり、右側縦移動機構４１の全体を支持する。図６に示すように、支持板４２には、板面の略中心から上端部近傍へかけて上下方向に延びる長孔４３が形成されている。第一横区画体３１の右端部４４に固定される第一ベルト接続部４５は、図７に示すように、背面側（図６の左側）に突出する凸部４６を有する。凸部４６は長孔４３に挿入される。凸部４６が長孔４３に摺動することで、第一横区画体３１の縦移動がガイドされ、且つ第一横区画体３１の可動範囲（つまり、後述するタイミングベルト６０の回転量）が適切に規制される。
【００２７】
図６から図８に示すように、右側縦移動機構４１は、ステップモータである右側縦移動モータ５０を備える。右側縦移動モータ５０は、略円板状のモータブラケット５１に固定され、モータブラケット５１は支持板４２の上端部に固定される。右側縦移動モータ５０の出力軸５２は後方へ延びてモータブラケット５１を貫通し、駆動プーリ５３に固定される。駆動プーリ５３は出力軸５２の回転に伴って回転する。駆動プーリ５３の外周面には凹凸状の歯部が形成されている。また、図６および図７に示すように、右側縦移動機構４１は、下端部近傍に従動プーリ５４を備える。従動プーリ５４には回転軸５５が挿入されており、この回転軸５５の後端はプーリ保持部材５６に保持される。プーリ保持部材５６は、上方へ突出する円柱部５７を備えており、この円柱部５７にはコイルバネ５８が巻回されている。円柱部５７は、下方が開放された箱状の形状を成す円柱部保持部材５９に下方から挿入されており、円柱部保持部材５９は支持板４２の正面側下端部に固定される。つまり、支持板４２、円柱部保持部材５９、プーリ保持部材５６、およびコイルバネ５８は、従動プーリ５４を下方（駆動プーリ５３から離間する方向）へ付勢した状態で回転可能に保持する。
【００２８】
駆動プーリ５３および従動プーリ５４には、無端状のタイミングベルト６０が架け渡されている。タイミングベルト６０の歯部は駆動プーリ５３の歯部と噛み合うため、駆動プーリ５３が回転するとタイミングベルト６０も回転する。前述したように、従動プーリ５４は下方へ付勢された状態で保持されているため、タイミングベルト６０は適切なテンションが加えられた状態で駆動プーリ５３および従動プーリ５４に架け渡される。その結果、タイミングベルト６０の歯部が駆動プーリ５３の歯部から脱落して異なる歯間へ移動する現象（所謂「歯飛び」）が発生する可能性は低下する。
【００２９】
図５および図６に示すように、右側縦移動機構４１は縦移動ガイド軸６３を備える。縦移動ガイド軸６３は、支持板４２の左上端から左下端へ上下方向に真っ直ぐに延びる。また、第一横区画体３１の右端部４４は、２つの螺子６４，６４によって第一ベルト接続部４５に固定される。第一ベルト接続部４５には縦移動ガイド軸６３が貫通しているため、第一ベルト接続部４５に固定された第一横区画体３１の縦移動は、縦移動ガイド軸６３によって適切に案内される。
【００３０】
図５に示すように、第一ベルト接続部４５の右端部は、タイミングベルト６０のうち互いに対向する部分（右部６１および左部６２）の一方である右部６１に接続される。換言すると、タイミングベルト６０のうち、駆動プーリ５３の右端から従動プーリ５４の右端に延びる部分を右部６１、駆動プーリ５３の左端から従動プーリ５４の左端に延びる部分を左部６２とした場合に、第一ベルト接続部４５は右部６１に接続される。
【００３１】
第二横区画体３２の右端部６５は、２つの螺子６６によって第二ベルト接続部６７に固定される。第二ベルト接続部６７には縦移動ガイド軸６３が貫通しているため、第二ベルト接続部６７に固定された第二横区画体３２の縦移動は、縦移動ガイド軸６３によって適切に案内される。第二ベルト接続部６７の右端部は、タイミングベルト６０のうちの左部６２に接続される。
【００３２】
タイミングベルト６０が左回りに回転すると、タイミングベルト６０の右部６１は上方へ移動し、左部６２は下方へ移動する。従って、タイミングベルト６０が左回りに回転すると、右部６１に接続された第一横区画体３１は上方へ移動し、左部６２に接続された第二横区画体３２は下方へ移動する。逆に、タイミングベルト６０が右回りに回転すると、第一横区画体３１は下方へ移動し、第二横区画体３２は上方へ移動する。右部６１と左部６２の移動方向は反対であり、且つ移動量は同じであるため、第一横区画体３１と第二横区画体３２とは上下対称に移動することとなる。
【００３３】
図４に示すように、右側縦移動機構４１の上下方向中心部には、光学センサである右原点センサ６８が配置されている。横区画体３１，３２が可動範囲内の原点範囲にある状態（図４に示す状態）では、第一ベルト接続部４５の右下の端部から正面側に突出する被検出片４７（図６参照）は、右原点センサ６８の検出部に位置する。従って、パチンコ機１は、右原点センサ６８が被検出片４７を検出しているか否かによって、第一横区画体３１の右端部４４および第二横区画体３２の右端部６５が原点範囲内にあるか否かを検出することができる。
【００３４】
また、図４に示すように、右原点センサ６８よりもやや上方には、光学センサである右終点センサ６９が配置されている。横区画体３１，３２が、可動範囲内の終点位置にある状態では、第一ベルト接続部４５の被検出片４７は、右終点センサ６９の検出部に位置する。従って、パチンコ機１は、右終点センサ６９が被検出片４７を検出しているか否かによって、第一横区画体３１の右端部４４および第二横区画体３２の右端部６５が終点位置にあるか否かを検出することができる。
【００３５】
駆動プーリ５３を支持する構造について説明する。図８に示すように、駆動プーリ５３の正面側（図８の右側）の中心には、右側縦移動モータ５０の出力軸５２が固定される。さらに、駆動プーリ５３の背面側（図８の左側）の中心には、支持軸７０が挿入される。つまり、駆動プーリ５３の軸線上に出力軸５２と支持軸７０とが位置する。図６および図８に示すように、支持板４２の上端部近傍には、円筒状の凹部である軸受け部７１が形成されており、この軸受け部７１には円筒状のブッシュ７２が配置される。支持軸７０の後端側がブッシュ７２に挿入されることで、支持軸７０は支持される。このように、駆動プーリ５３の背面側には支持軸７０が挿入されており、駆動プーリ５３は支持軸７０によって支持される。従って、タイミングベルト６０から駆動プーリ５３に伝わる力が出力軸５２のみにかかることはなく、力は支持軸７０にも分散される。よって、出力軸５２にかかる力を減少させて、右側縦移動モータ５０に脱調等の動作不良および故障が生じる可能性を低下させることができる。また、ギアを介して右側縦移動モータ５０の回転を駆動プーリ５３に伝える必要はない。従って、ギアを用いる場合に比べて容易にスペースを確保することができる。
【００３６】
支持軸７０は、駆動プーリ５３に対して回転自在に配置される。さらに、支持軸７０は、ブッシュ７２に対して回転自在に配置される。従って、演出装置３０は、駆動プーリ５３の回転中に支持軸７０に生じる摩擦力を低下させて、駆動プーリ５３を円滑に回転させることができる。
【００３７】
左側縦移動機構８１について説明する。左側縦移動機構８１の要部の構成は、右側縦移動機構４１の構成と同一である。図５に示すように、左側縦移動機構８１は、左側縦移動機構８１の全体を支持する支持板８２を備える。支持板８２の上部には、左側縦移動モータ９０がモータブラケット９１を介して固定されている。左側縦移動モータ９０の出力軸（図示せず）には駆動プーリ９３が固定されている。駆動プーリ９３の背面側は、右側縦移動機構４１と同様に支持軸（図示せず）によって支持されている。支持板８２の下部では、従動プーリ９４がコイルバネ（図示せず）によって下方へ付勢された状態で保持されており、駆動プーリ９３および従動プーリ９４にはタイミングベルト１００が架け渡されている。
【００３８】
第一横区画体３１の左端部８４は、第一ベルト接続部８５に固定される。第一ベルト接続部８５には、上下方向に延びる縦移動ガイド軸１０３が貫通している。よって、第一横区画体３１の縦移動は、縦移動ガイド軸１０３によって適切に案内される。タイミングベルト１００のうち、駆動プーリ９３の右端から従動プーリ９４の右端に延びる部分を右部１０１、駆動プーリ９３の左端から従動プーリ９４の左端に延びる部分を左部１０２とした場合に、第一ベルト接続部８５の左端部は左部１０２に接続される。また、第二横区画体３２の左端部１０５は、第二ベルト接続部１０７に固定される。第二ベルト接続部１０７には縦移動ガイド軸１０３が貫通しているため、第二横区画体３２は円滑に縦移動する。第二ベルト接続部１０７の左端部は、タイミングベルト１００のうちの右部１０１に接続される。従って、タイミングベルト１００が右回りに回転すると、第一横区画体３１と第二横区画体３２とは互いに離間する方向（終点位置へ向かう方向）に対称移動する。タイミングベルト１００が左回りに回転すると、第一横区画体３１と第二横区画体３２とは互いに接近する方向（原点範囲に向かう方向）に対称移動する。
【００３９】
また、図４に示すように、左側縦移動機構８１の上下方向中心部には、左原点センサ１０８が配置されている。左原点センサ１０８は、第一横区画体３１の左端部８４および第二横区画体３２の左端部１０５が原点範囲内にあるか否かを検出することができる。左原点センサ１０８よりもやや上方には、左終点センサ１０９が配置されている。左終点センサ１０９は、第一横区画体３１の左端部８４および第二横区画体３２の左端部１０５が終点位置にあるか否かを検出することができる。
【００４０】
以上のように、演出装置３０は、２つの移動機構（右側縦移動機構４１および左側縦移動機構８１）によって、第一横区画体３１の左右の端部を同一方向に同一速度で移動させる。また、演出装置３０は、第二横区画体３２の左右の端部を同一方向に同一速度で移動させる。従って、横区画体３１，３２のそれぞれ一方の端部をタイミングベルト６０，１００の一方に接続させる場合に比べて、横区画体３１，３２のそれぞれの荷重を分散させて負荷を低下させることができる。特に、本実施の形態のように、横区画体３１，３２を上下方向に移動させる場合には、演出装置３０には大きな負荷がかかる。しかし、横区画体３１，３２のそれぞれの左右の端部を上下方向に移動させることで、横区画体３１，３２の荷重による負荷を分散させて円滑に演出を行うことができる。また、演出装置３０では、タイミングベルト６０，１００を用いて横区画体３１，３２を移動させる。従って、螺旋状の溝またはリブを外周面に有する溝カム等を用いる場合に比べて、素早く横区画体３１，３２を移動させることができる。さらに、演出装置３０では、横区画体３１，３２のそれぞれが、右側のタイミングベルト６０の異なる部分に接続され、且つ左側のタイミングベルト１００の異なる部分に接続される。これにより、演出装置３０は、右側縦移動機構４１および左側縦移動機構８１に大きな負荷をかけることなく、２つの横区画体３１，３２に対称な動作を実行させることができる。従って、２つの横区画体３１，３２を対称に移動させる斬新な演出を、簡易な構成で円滑に実行することができる。
【００４１】
図９から図１１を参照して、縦区画体３３，３４および装飾体３５，３６を横移動させるための横移動ユニット１１０について説明する。図９に示すように、横移動ユニット１１０は、上部支持体１１１と下部支持体１１２とを備える。上部支持体１１１は、左右方向に延びる合成樹脂製の部材であり、横移動ユニット１１０の各種部材を上部で支持する。下部支持体１１２は、上部支持体１１１と平行に左右に延びる合成樹脂製の部材であり、縦区画体３３，３４および装飾体３５，３６の下部を支持しつつ横移動を案内する。
【００４２】
横移動ユニット１１０は、ステップモータである横移動モータ１１３を備える。横移動モータ１１３は、上部支持体１１１の右端上部に固定される。横移動モータ１１３の出力軸（図示せず）は下方へ真っ直ぐに延び、駆動プーリ１１５に固定される。駆動プーリ１１５は、横移動モータ１１３の出力軸の回転に伴って回転する。駆動プーリ１１５の外周面には凹凸状の歯部が形成されている。また、駆動プーリ１１５の下側は、前述した右側縦移動機構４１の駆動プーリ５３と同様に、支持軸（図示せず）によって支持されている。よって、外力が出力軸に集中することがないため、駆動プーリ１１５にかかる負荷の影響を低下させることができる。
【００４３】
横移動ユニット１１０は、左上端部に従動プーリ１１６を備える。従動プーリ１１６は、前述した右側縦移動機構４１の従動プーリ５４と同様に、図示しないプーリ保持部材、コイルバネ、および円柱部保持部材によって上部支持体１１１に保持されている。つまり、従動プーリは、左方（駆動プーリ１１５から離間する方向）へ付勢された状態で回転可能に保持されている。
【００４４】
駆動プーリ１１５および従動プーリ１１６にはタイミングベルト１１７が架け渡されている。タイミングベルト１１７の歯部は駆動プーリ１１５の歯部と噛み合うため、駆動プーリ１１５が回転するとタイミングベルト１１７も回転する。前述したように、従動プーリ１１６は左方へ付勢された状態で保持されているため、タイミングベルト１１７は適切なテンションが加えられた状態で駆動プーリ１１５および従動プーリ１１６に架け渡される。その結果、歯飛びが発生する可能性が低下する。
【００４５】
図１０に示すように、第一縦区画体３３の上端部には第一接触部材１２０が固定されている。第一接触部材１２０は、タイミングベルト１１７のうち互いに対向する部分（前部１１８および後部１１９）の一方である後部１１９に接続される。換言すると、タイミングベルト１１７のうち、駆動プーリ１１５の前端から従動プーリ１１６の前端に延びる部分を前部１１８、駆動プーリ１１５の後端から従動プーリ１１６の後端に延びる部分を後部１１９とした場合に、第一接触部材１２０は後部１１９に接続される。第一縦区画体３３は第一接触部材１２０に固定されているため、第一縦区画体３３は第一接触部材１２０を介して後部１１９に接続することになる。また、第二縦区画体３４の上端部には、第二接触部材１２１が固定されている。第二接触部材１２１は、タイミングベルト１１７のうちの前部１１８に接続される。
【００４６】
図１１に示すように、横移動ユニット１１０は、第一横移動ガイド軸１２２および第二横移動ガイド軸１２３（以下、これらをまとめて「横移動ガイド軸１２２，１２３」という。）を上部に備える。第一横移動ガイド軸１２２および第二横移動ガイド軸１２３は、左右に平行に延びる。第一縦区画体３３に固定された第一接触部材１２０には、第二横移動ガイド軸１２３が挿通されている。さらに、第一接触部材１２０には、正面側に突出する爪部１２４が形成されている。爪部１２４は、摺動可能な状態で第一横移動ガイド軸１２２を上下から挟み込むように配置されている。つまり、第一接触部材１２０の横移動は、２つの横移動ガイド軸１２２，１２３によって案内される。よって、第一接触部材１２０は、１つのガイド軸によって案内される場合に比べてより円滑に横移動することができる。また、第一接触部材１２０を１つのガイド軸によって案内する場合、第一接触部材１２０は、ガイド軸を中心として回転または揺動するおそれがある。本実施形態では、２つの横移動ガイド軸１２２，１２３によって第一接触部材１２０の横移動を案内することで、第一接触部材１２０が回転または揺動して不具合が生じることを防止することもできる。
【００４７】
なお、第二縦区画体３４に固定された第二接触部材１２１も、第一接触部材１２０と同様に、２つの横移動ガイド軸１２２，１２３によって案内される。つまり、第二接触部材１２１にも第二横移動ガイド軸１２３が挿通されており、第二接触部材１２１から正面側に突出する爪部１２５（図１０参照）が第一横移動ガイド軸１２２に嵌まり合う。
【００４８】
また、図９に示すように、下部支持体１１２の上面後部には、左右方向に延びる縦区画体ガイド溝１２６が形成されている。第一縦区画体３３の下端部および第二縦区画体３４の下端部は、縦区画体ガイド溝１２６に嵌まり込んで摺動する。従って、縦区画体３３，３４の下部の横移動は、縦区画体ガイド溝１２６によって適切に案内される。縦区画体ガイド溝１２６の左右方向の中心には、可動範囲規制ピン１２７が設けられている。２つの縦区画体３３，３４が互いに近づく方向に移動すると、第一縦区画体３３の左下端部、および第二縦区画体３４の右下端部が、可動範囲規制ピン１２７に接触する（図９に示す状態）。その結果、縦区画体３３，３４の可動範囲が適切に規制される。
【００４９】
図１０に示すように、第一装飾体３５の上端部には、第一横移動ガイド軸１２２が挿通されている。さらに、第一装飾体３５の上端部には第一補助ガイド部材１２８が固定されている。第一補助ガイド部材１２８は、第一装飾体３５の上端部から左方へ延びる。第一補助ガイド部材１２８の左端部には、第一横移動ガイド軸１２２が挿通されている。つまり、第一装飾体３５の横移動は、自身の上端部と第一補助ガイド部材１２８とによって適切に案内される。同様に、第二装飾体３６の上端部には第一横移動ガイド軸１２２が挿通されており、且つ第二補助ガイド部材１２９が固定されている。第二補助ガイド部材１２９は、第二装飾体３６の上端部から右方へ伸び、第二補助ガイド部材１２９の右端部には第一横移動ガイド軸１２２が挿通されている。第二装飾体３６の横移動は、自身の上端部と第二補助ガイド部材１２９とによって適切に案内される。なお、上部支持体１１１の左右方向の中心には、図示しないピンが設けられている。第一装飾体３５が左方へ移動すると、第一補助ガイド部材１２８の左端がピンに接触するため、第一装飾体３５の移動量が適切に規制される。同様に、第二装飾体３６が右方へ移動すると、第二補助ガイド部材１２９の右端がピンに接触するため、第二装飾体３６の移動量は適切に規制される。
【００５０】
第一横移動ガイド軸１２２には、右コイルバネ１３０および左コイルバネ１３１が巻回されている。右コイルバネ１３０は、第一横移動ガイド軸１２２の右端部に固定された右壁部１４１と、第一装飾体３５の上端部との間に介在し、第一装飾体３５を左方へ付勢する。左コイルバネ１３１は、第一横移動ガイド軸１２２の左端部に固定された左壁部１４２と、第二装飾体３６の上端部との間に介在し、第二装飾体３６を右方へ付勢する。
【００５１】
上部支持体１１１の上端部における左右方向の中心には、光学センサである上原点センサ１３２が配置されている。縦区画体３３，３４が可動範囲内の原点範囲にある状態（図９および図１０に示す状態）では、第一接触部材１２０の一部が上原点センサ１３２の検出部に位置する。従って、パチンコ機１は、上原点センサ１３２が第一接触部材１２０を検出しているか否かによって、縦区画体３３，３４が原点範囲内にあるか否かを検出することができる。また、上原点センサ１３２よりもやや右側には、上終点センサ１３３が配設されている。パチンコ機１は、上終点センサ１３３が第一接触部材１２０を検出しているか否かによって、縦区画体３３，３４が終点位置（図１３に示す位置）にあるか否かを検出することができる。
【００５２】
また、図９に示すように、下部支持体１１２には、上面右手前側に第一装飾体ガイド溝１３４が形成され、且つ上面左手前側に第二装飾体ガイド溝１３５が形成される。第一装飾体ガイド溝１３４および第二装飾体ガイド溝１３５は、共に左右方向に延びる。第一装飾体ガイド溝１３４には、第一装飾体３５の下端部が嵌まり込んで摺動する。第二装飾体ガイド溝１３５には、第二装飾体３６の下端部が嵌まり込んで摺動する。従って、装飾体３５，３６の下部の横移動は、第一装飾体ガイド溝１３４および第二装飾体ガイド溝１３５によって適切に案内される。
【００５３】
図１０、図１２、および図１３を参照して、縦区画体３３，３４および装飾体３５，３６の動作について説明する。図１０に示すように、タイミングベルト１１７が平面視で右回り（時計回り）に回転すると、タイミングベルト１１７の後部１１９は右方へ移動し、前部１１８は左方へ移動する。従って、タイミングベルト１１７が平面視右回りに回転すると、後部１１９に接続された第一縦区画体３３は右方へ移動し、前部１１８に接続された第二縦区画体３４は左方へ移動する。前部１１８と後部１１９の移動方向は反対であり、且つ移動量は同じであるため、第一縦区画体３３と第二縦区画体３４とは左右対称に移動することとなる。つまり、１組の横移動モータ１１３およびタイミングベルト１１７のみを用いる簡易な構成で、２つの縦区画体３３，３４に対称な動作を実行させることができる。
【００５４】
縦区画体３３，３４が原点範囲から所定距離内にある場合、装飾体３５，３６は、コイルバネ１３０，１３１によって内側に付勢された状態で静止している。よって、この状態では、表示装置２８（図１および図２参照）の表示領域のうち左右の端部から所定範囲内は、装飾体３５，３６によって遮蔽された状態となっている。
【００５５】
縦区画体３３，３４が互いに離間する方向（外側）へ移動を続けると、第一接触部材１２０の爪部１２４が第一装飾体３５の上端部左側に接触し、且つ第二接触部材１２１の爪部１２５が第二装飾体３６の上端部右側に接触する。図１２に、離間していた爪部１２４，１２５と装飾体３５，３６とが接触した状態を示す。縦区画体３３，３４がさらに外側へ移動を続けると、爪部１２４，１２５と装飾体３５，３６とが接触しているため、装飾体３５，３６は縦区画体３３，３４と共に外側に移動する。図１３に、縦区画体３３，３４が終点位置に達した状態を示す。縦区画体３３，３４が終点位置に達すると、装飾体３５，３６も最も外側に達し、表示装置２８（図１および図２参照）の表示領域の全体を正面側から視認できる状態となる。
【００５６】
逆に、縦区画体３３，３４が終点位置から原点位置へ向かって移動すると、爪部１２４，１２５と装飾体３５，３６とが接触している間は、装飾体３５，３６もコイルバネ１３０，１３１の付勢力によって内側へ移動する。爪部１２４，１２５と装飾体３５，３６とが離間すると、装飾体３５，３６は静止し、縦区画体３３，３４のみが内側へ移動を続ける。
【００５７】
以上説明したように、本実施の形態に係る演出装置３０の右側縦移動機構４１は、右側縦移動モータ５０およびタイミングベルト６０によって、横区画体３１，３２の右端部を素早く移動させることができる。さらに、右側縦移動モータ５０の出力軸５２に固定された駆動プーリ５３には支持軸７０が挿入されており、駆動プーリ５３は支持軸７０によって支持される。従って、タイミングベルト６０から駆動プーリ５３に伝わる力が出力軸５２のみにかかることはなく、力は支持軸７０にも分散される。よって、出力軸５２にかかる力を減少させて、右側縦移動モータ５０に脱調等の動作不良および故障が生じる可能性を低下させることができる。また、ギアを介して右側縦移動モータ５０の回転を駆動プーリ５３に伝える必要はない。従って、ギアを用いる場合に比べて容易にスペースを確保することができる。
【００５８】
支持軸７０は、駆動プーリ５３および軸受け部７１に対して回転自在に配置されている。従って、演出装置３０は、駆動プーリ５３の回転中に支持軸７０に生じる摩擦力を低下させて、駆動プーリ５３を円滑に回転させることができる。より詳細には、支持軸７０は、円筒状のブッシュ７２を介して軸受け部７１に支持される。よって、ブッシュ７２を用いない場合に比べて、支持軸７０に生じる摩擦力をさらに低下させることができる。また、従動プーリ５４は、コイルバネ５８によって、駆動プーリ５３から離間する方向に付勢されている。その結果、タイミングベルト６０に適切なテンションが付与されるため、歯飛びの発生を適切に防止することができる。タイミングベルト６０にテンションが付与されることで、タイミングベルト６０から駆動プーリ５３に力がかかるが、駆動プーリ５３は支持軸７０によって支持されている。従って、演出装置３０は、右側縦移動モータ５０の出力軸５２に過剰な負担がかかることを防止しつつ、タイミングベルト６０に適切なテンションを付与して円滑に演出を実行することができる。なお、左側縦移動機構８１も、以上説明した右側縦移動機構４１と同様の作用効果を奏することができる。
【００５９】
なお、本実施の形態における右側縦移動モータ５０および左側縦移動モータ９０が、本発明の「モータ」に相当する。タイミングベルト６０，１００が本発明の「ベルト」に相当する。第一横区画体３１および第二横区画体３２が本発明の「移動体」に相当する。コイルバネ５８が本発明の「付勢手段」に相当する。
【００６０】
本発明は、以上詳述した実施の形態に限定されるものではなく、本発明の要旨を逸脱しない範囲内において種々の変更が可能であることは勿論である。本実施の形態では、区画体３１〜３４を移動させるためのモータとしてステップモータが用いられている。しかし、本発明によれば、ステップモータ以外のモータを用いた場合でも、モータの出力軸にかかる負荷を低下させることができる。また、本発明によれば、ステップモータ以外のモータを用いた場合でも、縦区画体３３，３４と装飾体３５，３６とを簡易な構成で移動させることができる。タイミングベルト６０，１００，１１７の代わりにＶベルト等の他のベルトを用いることも可能である。
【００６１】
前述したように、支持軸７０に生じる摩擦を考慮すると、支持軸７０は、駆動プーリ５３および軸受け部７１に対して回転自在に配置されることが望ましい。しかし、支持軸７０は、駆動プーリ５３および軸受け部７１のいずれか一方に固定することも可能である。また、上記実施の形態では、従動プーリ５４を駆動プーリ５３から離間する方向に付勢することで、歯飛びが生じる可能性を低下させている。しかし、本発明は、従動プーリ５４を付勢する付勢手段を備えていない演出装置にも適用できる。
【００６２】
上記実施の形態の演出装置３０は、横区画体３１，３２のそれぞれの左右の端部を、右側縦移動機構４１および左側縦移動機構８１によって縦移動させる。しかし、移動体の１箇所をベルトに接続して移動体を移動させる演出装置であっても、本発明は適用できる。移動体の移動方向が上下方向に限られず、左右方向、斜め方向でもよいことは言うまでもない。本発明は、移動体を直線状に移動させる演出装置だけでなく、曲線状に移動させる演出装置にも適用できる。
【００６３】
上記実施の形態では、区画体３１〜３４の移動をガイドするガイド部材として、円柱状の軸である縦移動ガイド軸６３，１０３、第一横移動ガイド軸１２２、および第二横移動ガイド軸１２３が用いられている。しかし、溝部、リブ、角柱等をガイド部材として用いることも可能である。コイルバネ５８，１３０，１３１の代わりに板バネ等の他の付勢手段を用いてもよい。
【００６４】
上記実施の形態では、縦区画体３３，３４および装飾体３５，３６の横移動をガイドするために、２つのガイド部材（第一横移動ガイド軸１２２および第二横移動ガイド軸１２３）が設けられている。しかし、横移動をガイドするためのガイド軸が１つであっても本発明は実現可能である。また、上記実施の形態では、接触部材１２０，１２１の移動を２つのガイド部材によって案内することで、接触部材１２０，１２１が揺動することを防止しつつ、接触部材１２０，１２１を円滑に移動させる。しかし、接触部材１２０，１２１の移動を１つのガイド部材で行うことも可能である。接触部材１２０，１２１の移動と装飾体３５，３６の移動とを、異なるガイド部材で案内してもよい。第一接触部材１２０の移動と第二接触部材１２１の移動とを、異なるガイド部材で案内してもよい。
【符号の説明】
【００６５】
１    パチンコ機
３０    演出装置
３１    第一横区画体
３２    第二横区画体
３３    第一縦区画体
３４    第二縦区画体
３５    第一装飾体
３６    第二装飾体
４０    縦移動ユニット
４１    右側縦移動機構
５０    右側縦移動モータ
５２    出力軸
５３    駆動プーリ
５４    従動プーリ
５８    コイルバネ
６０    タイミングベルト
６７    第二ベルト接続部
７０    支持軸
７１    軸受け部
７２    ブッシュ
８１    左側縦移動機構
９０    左側縦移動モータ
９３    駆動プーリ
９４    従動プーリ
１００    タイミングベルト
１０７    第二ベルト接続部
１１０    横移動ユニット
１１３    横移動モータ
１１５    駆動プーリ
１１６    従動プーリ
１１７    タイミングベルト
【図１】
0005691076.tif 000002
【図２】
0005691076.tif 000003
【図３】
0005691076.tif 000004
【図４】
0005691076.tif 000005
【図５】
0005691076.tif 000006
【図６】
0005691076.tif 000007
【図７】
0005691076.tif 000008
【図８】
0005691076.tif 000009
【図９】
0005691076.tif 000010
【図１０】
0005691076.tif 000011
【図１１】
0005691076.tif 000012
【図１２】
0005691076.tif 000013
【図１３】
0005691076.tif 000014